(57)【特許請求の範囲】
【請求項１】
バーナと、該バーナの燃焼によって加熱される貯湯缶体と、該貯湯缶体に取り付けられる貯湯温度センサと、該貯湯温度センサからの温度情報に基づいて前記バーナの燃焼を制御し、設定された貯湯温度を得るようにしたコントローラ部を有する給湯器における前記貯湯温度センサの故障検出装置であって、前記コントローラ部による前記貯湯温度センサの故障検出の構成として、バーナ燃焼中において前記貯湯温度センサの検出温度を監視し、一定時間ｔ1 以上経過しても検出温度が一定温度ΔＴ1 以上上昇しない場合はバーナ燃焼を一旦停止状態とし、更に前記燃焼停止状態が一定時間ｔ2 以上経過しても検出温度が一定温度ΔＴ2 以上低下しない場合には、貯湯温度センサが故障であると判定する構成としたことを特徴とする給湯器の貯湯温度センサ故障検出装置。
【請求項２】
バーナと、該バーナの燃焼によって加熱される貯湯缶体と、該貯湯缶体に取り付けられる貯湯温度センサと、該貯湯温度センサからの温度情報に基づいて前記バーナの燃焼を制御し、設定された貯湯温度を得るようにしたコントローラ部を有する給湯器における前記貯湯温度センサの故障検出装置であって、前記コントローラ部による前記貯湯温度センサの故障検出の構成として、バーナ燃焼前における前記貯湯温度センサの検出温度を予め記憶しておき、燃焼開始後一定時間ｔ3 以上経過しても検出温度が一定温度ΔＴ3 以上上昇しない場合はバーナ燃焼を一旦停止状態とすると共にバーナ燃焼停止時における貯湯温度センサの検出温度を記憶し、前記燃焼停止状態が一定時間ｔ4 以上経過しても検出温度が一定温度ΔＴ4 以上低下しない場合には、貯湯温度センサが故障であると判定する構成としたことを特徴とする給湯器の貯湯温度センサ故障検出装置。
【発明の詳細な説明】
【０００１】
【発明の属する技術分野】
本発明は給湯器の貯湯温度センサの故障を検出する装置に関する。
【０００２】
【従来の技術】
従来、貯湯式の給湯器やいわゆるセミ貯湯式の給湯器においては、貯湯缶体に取り付けられた貯湯温度センサからの温度情報に基づいて、コントローラがバーナをフィードバック制御等し、貯湯缶体内の貯湯温度を所定の設定温度に制御することが行われている。
【０００３】
【発明が解決しようとする課題】
ところが上記の従来装置において、貯湯温度センサが故障した場合にはコントローラによる制御が実質上不可能になる。勿論、従来においても上記貯湯温度センサが完全に断線状態となったり、完全に短絡したような場合には、それを検出して、貯湯温度センサの故障を判断するようなことはなされていた。しかしながら、例えば貯湯温度センサが中途半端にショートしている等、貯湯温度センサが中途半端に故障している場合には、貯湯温度センサが正常であり得るような検出温度を示す場合がある。従来におけるこの種の装置では、このような疑似の温度を示して貯湯温度センサが故障している場合に、これを故障と判断することができなかった。
【０００４】
そこで本発明は、上記従来装置における問題を解消し、給湯器の貯湯温度センサが疑似温度を示して中途半端に故障している場合においても、その貯湯温度センサの故障を検出することができる装置の提供を課題とする。
【０００５】
【課題を解決するための手段】
上記目的を達成するため、本発明の給湯器の貯湯温度センサ故障検出装置は、バーナと、該バーナの燃焼によって加熱される貯湯缶体と、該貯湯缶体に取り付けられる貯湯温度センサと、該貯湯温度センサからの温度情報に基づいて前記バーナの燃焼を制御し、設定された貯湯温度を得るようにしたコントローラ部を有する給湯器における前記貯湯温度センサの故障検出装置であって、前記コントローラ部による前記貯湯温度センサの故障検出の構成として、バーナ燃焼中において前記貯湯温度センサの検出温度を監視し、一定時間ｔ1 以上経過しても検出温度が一定温度ΔＴ1 以上上昇しない場合はバーナ燃焼を一旦停止状態とし、更に前記燃焼停止状態が一定時間ｔ2 以上経過しても検出温度が一定温度ΔＴ2 以上低下しない場合には、貯湯温度センサが故障であると判定する構成としたことを第１の特徴としている。
また本発明の給湯器の貯湯温度センサ故障検出装置は、バーナと、該バーナの燃焼によって加熱される貯湯缶体と、該貯湯缶体に取り付けられる貯湯温度センサと、該貯湯温度センサからの温度情報に基づいて前記バーナの燃焼を制御し、設定された貯湯温度を得るようにしたコントローラ部を有する給湯器における前記貯湯温度センサの故障検出装置であって、前記コントローラ部による前記貯湯温度センサの故障検出の構成として、バーナ燃焼前における前記貯湯温度センサの検出温度を予め記憶しておき、燃焼開始後一定時間ｔ3 以上経過しても検出温度が一定温度ΔＴ3 以上上昇しない場合はバーナ燃焼を一旦停止状態とすると共にバーナ燃焼停止時における貯湯温度センサの検出温度を記憶し、前記燃焼停止状態が一定時間ｔ4 以上経過しても検出温度が一定温度ΔＴ4 以上低下しない場合には、貯湯温度センサが故障であると判定する構成としたことを第２の特徴としている。
【０００６】
上記本発明の第１の特徴においては、バーナの燃焼中における貯湯温度センサの検出温度の上昇の具合が先ず監視され、その監視によって検出温度の変化に問題がある場合には、取り敢えずバーナ燃焼を一旦停止状態として安全が期されると共に、停止後において更に貯湯温度センサの検出温度の低下の具合が監視され、その監視によって検出温度の変化に問題がある場合には、最終判断として貯湯温度センサが故障であると判定される。
コントローラ部の構成としては、前記貯湯温度センサが故障であると判定した場合、更に給湯運転の停止を指令する構成と貯湯温度センサの故障表示を指令する構成とを単独または両方併せて前記故障判定に組み合わせることができる。
上記一定時間ｔ1 は例えば数十秒から数分程度とし、一方、一定時間ｔ2 は、温度低下が自然降下であるので前記一定時間ｔ1 よりも長い数分から10分程度までとするのが好ましい。が、これらに限定されない。一定時間ｔ1 、ｔ2 が短すぎると温度上昇や温度低下の有無判断が確実でなくなり、一定時間ｔ1 、ｔ2 が長すぎると故障判定がなされるまでの時間が長くなり、安全対策を採る上で好ましくない。一定時間ｔ1 、ｔ2 はバーナ燃焼による貯湯温度の温度上昇や温度低下の有無を確実に判断し得る最小時間とすべく、予め実験によって決定することができる。
上記一定温度ΔＴ1 、ΔＴ2 は例えば１〜数度℃とするのが好ましいが、これに限定されない。一定温度ΔＴ1 、ΔＴ2 が小さすぎると温度上昇や温度低下の有無判断が確実でなくなり、一定温度ΔＴ1 、ΔＴ2 が大きすぎると故障判定するまでの時間が長くなり、安全対策を採る上で好ましくない。一定温度ΔＴ1 、ΔＴ2 はバーナ燃焼による貯湯温度の温度上昇の有無を確実に判断し得る最小温度とすべく、前記一定時間ｔ1 、ｔ2 と対で予め実験によって決定することができる。
上記第１の特徴によれば、貯湯温度センサが疑似的温度を示して中途半端に故障している場合でも、その貯湯温度センサの故障を確実に検出することができる。よってまた貯湯缶体がバーナによって設定貯湯温度以上に加熱し続けられるといったことも防止することができる。貯湯温度センサによる温度変化の監視を２度繰り返して確実を期しているので、誤判定を防止することができる。
【０００７】
上記本発明の第２の特徴においては、バーナ燃焼前における貯湯温度センサの検出温度とバーナの燃焼後の貯湯温度センサの検出温度との差が先ず監視され、その監視によって検出温度の温度差に問題がある場合には、取り敢えずバーナ燃焼を一旦停止状態として安全が期されると共に、燃焼停止後において更に燃焼停止前における貯湯温度センサの検出温度と燃焼停止後における貯湯温度センサの検出温度の差が監視され、その監視によって検出温度の差に問題がある場合には、最終判断として貯湯温度センサが故障であると判定される。
コントローラ部の構成としては、上記第１の特徴の場合と同様に、前記貯湯温度センサが故障であると判定した場合、更に給湯運転の停止を指令する構成と貯湯温度センサの故障表示を指令する構成とを単独または両方併せて前記故障判定に組み合わせることができる。
上記一定時間ｔ3 は例えば数十秒から数分程度とし、一方、一定時間ｔ4 は、温度低下が自然降下であるので前記一定時間ｔ1 よりも長い数分から10分程度までとするのが好ましい。が、これらに限定されない。一定時間ｔ3 、ｔ4 に対する考え方は、上記の一定時間ｔ1 、ｔ2 の場合と同じである。
上記一定温度ΔＴ3 、ΔＴ4 は例えば１〜数度℃とするのが好ましいが、これに限定されない。一定温度ΔＴ3 、ΔＴ4 に対する考え方は、上記の一定温度ΔＴ1 、ΔＴ2 の場合と同じである。
上記第２の特徴によれば、貯湯温度センサが疑似的温度を示して中途半端に故障している場合でも、その貯湯温度センサの故障を確実に検出することができる。よってまた貯湯缶体がバーナによって設定貯湯温度以上に加熱し続けられるといったことも防止することができる。貯湯温度センサによる温度変化の監視を２度繰り返して確実を期しているので、誤判定を防止することができる。
【０００８】
【発明の実施の形態】
図１は本発明の貯湯温度センサ故障検出装置を備えた給湯器の構成図で、図２はコントローラ部による貯湯温度センサ故障検出の構成を説明するフローチャートである。図３はコントローラ部による今一つの貯湯温度センサ故障検出の構成を説明するフローチャートである。
【０００９】
図１において、給湯器は、貯湯缶体10と、その下方に配設される燃焼室20と、上方に配設される排気機構30と、前記燃焼室20内に臨むバーナ40と、コントローラ部50とリモコン60等からなる。
前記貯湯缶体10は内部が貯湯されるようになっており、また外部からの熱交換コイル11が内部に通されて、いわゆるセミ貯湯缶体となされている。前記熱交換コイル11は風呂追い焚き回路等の一部とされている。また貯湯缶体10には入水管12と出湯管13が接続され、入水と出湯が行えるようになされている。
また貯湯缶体10には内部の貯湯の温度を検出する貯湯温度センサ14が設けられている。また貯湯缶体10自体の温度を検出して、貯湯缶体10が過熱状態になった場合には運転を停止させるための缶体温度センサ15が設けられている。
前記バーナ40は、石油等の噴霧ノズル41、点火器42、送風器43等からなる。
前記コントローラ部50はリモコン60からの指令に基づき、給湯器の前記貯湯温度センサ14等の各センサ類からの情報を受けて、所定の制御ソフトウエアにより、所定の制御動作をバーナ40やその他の装置各部に対して指令する。
【００１０】
次にコントローラ部50による貯湯温度センサ故障検出の構成の実施の形態の一例を図２のフローチャートも参照して説明する。
今リモコン60の図示しない給湯運転スイッチがオンされると（Ｓ１でイエス）、コントローラ部50は貯湯温度センサ14の検出温度が貯湯の設定温度以上である否かを判断し（Ｓ２）、検出温度が設定温度未満の場合（Ｓ２でノー）には、バーナ40をオンさせる（Ｓ３）。また検出温度が設定温度以上の場合（Ｓ２でイエス）は、バーナ40をオフ状態とする（Ｓ４）。
前記バーナ40がオンされて燃焼状態になると、コントローラ部50は貯湯温度センサ14の検出温度を監視し、一定時間ｔ1 以上経過しても検出温度が一定温度ΔＴ1 以上上昇しない場合（Ｓ５でノー、Ｓ６でイエス）には、一旦、バーナ40を強制的にオフさせて燃焼を停止状態にする（Ｓ７）。
前記燃焼が停止されると（Ｓ７）、更にコントローラ部50は、貯湯温度センサ14の検出温度を監視し、一定時間ｔ2 以上経過しても検出温度が一定温度ΔＴ2 以上低下しない場合（Ｓ８でノー、Ｓ９でイエス）には、コントローラ部50は貯湯温度センサ14が故障であると判定し、給湯運転を停止させ、リモコン60等の表示部に貯湯温度センサ14の故障表示を行わせる（Ｓ10）。
【００１１】
図３を参照して、コントローラ部50による貯湯温度センサ故障検出の構成の実施の形態の今一つの例を説明する。
今リモコン60の図示しない給湯運転スイッチがオンされると（Ｓ21でイエス）、コントローラ部50は貯湯温度センサ14の検出温度が貯湯の設定温度以上である否かを判断し（Ｓ22）、検出温度が設定温度未満の場合（Ｓ22でノー）には、バーナ40の燃焼前における貯湯温度センサ14の検出温度Ｔ3 を記憶した（Ｓ23）後、バーナ40をオンさせる（Ｓ24）。また前記検出温度が設定温度以上の場合（ステップＳ22でイエス）は、バーナ40をオフ状態とする（Ｓ25）。
前記バーナ40がオンされて燃焼状態になると、コントローラ部50は貯湯温度センサ14の検出温度を監視し、一定時間ｔ3 以上経過しても現在の検出温度が前記燃焼前の検出温度Ｔ3 より一定温度ΔＴ3 以上上昇していない場合（Ｓ26でノー、Ｓ27でイエス）には、一旦、バーナ40を強制的にオフさせて燃焼を停止状態にすると共にバーナ40をオフさせた時の貯湯温度センサ14の検出温度Ｔ4 を記憶する（Ｓ28）。
そして更にコトローラ部50は前記バーナ40の燃焼が停止された状態で貯湯温度センサ14の検出温度を監視し、一定時間ｔ4 以上経過しても現在の検出温度が前記燃焼停止時の検出温度Ｔ4 より一定温度ΔＴ4 以上低下しない場合（Ｓ29でノー、Ｓ30でイエス）には、コントローラ部50は貯湯温度センサ14が故障であると判定し、給湯運転を停止させ、リモコン60等の表示部に貯湯温度センサ14の故障表示を行わせる（Ｓ31）。
【００１２】
【発明の効果】
本発明は以上の構成よりなり、請求項１に記載の給湯器の貯湯温度センサ故障検出装置によれば、コントローラ部による前記貯湯温度センサの故障検出の構成として、バーナ燃焼中において前記貯湯温度センサの検出温度を監視し、一定時間ｔ1 以上経過しても検出温度が一定温度ΔＴ1 以上上昇しない場合はバーナ燃焼を一旦停止状態とし、更に前記燃焼停止状態が一定時間ｔ2 以上経過しても検出温度が一定温度ΔＴ2 以上低下しない場合には、貯湯温度センサが故障であると判定する構成としたので、
貯湯温度センサが疑似的温度を示して中途半端に故障している場合でも、その貯湯温度センサの故障を確実に検出することができる。よってまた貯湯缶体がバーナによって設定貯湯温度以上に加熱し続けられるといったことも防止することができる。貯湯温度センサによる温度変化の監視を２度繰り返して確実を期しているので、誤判定を防止することができる。
また請求項２に記載の給湯器の貯湯温度センサ故障検出装置によれば、コントローラ部による前記貯湯温度センサの故障検出の構成として、バーナ燃焼前における前記貯湯温度センサの検出温度を予め記憶しておき、燃焼開始後一定時間ｔ3 以上経過しても検出温度が一定温度ΔＴ3 以上上昇しない場合はバーナ燃焼を一旦停止状態とすると共にバーナ燃焼停止時における貯湯温度センサの検出温度を記憶し、前記燃焼停止状態が一定時間ｔ4 以上経過しても検出温度が一定温度ΔＴ4 以上低下しない場合には、貯湯温度センサが故障であると判定する構成としたので、
請求項１の記載による効果の場合と同様に、貯湯温度センサが疑似的温度を示して中途半端に故障している場合でも、その貯湯温度センサの故障を確実に検出することができる。よってまた貯湯缶体がバーナによって設定貯湯温度以上に加熱し続けられるといったことも防止することができる。貯湯温度センサによる温度変化の監視を２度繰り返して確実を期しているので、誤判定を防止することができる。
【図面の簡単な説明】
【図１】本発明の貯湯温度センサ故障検出装置を備えた給湯器の構成図である。
【図２】コントローラ部による貯湯温度センサ故障検出の構成を説明するフローチャートである。
【図３】コントローラ部による今一つの貯湯温度センサ故障検出の構成を説明するフローチャートである。
【符号の説明】
10  貯湯缶体
14  貯湯温度センサ
40  バーナ
50  コントローラ部
60  リモコン
【図１】
0003718895.tif 000002
【図２】
0003718895.tif 000003
【図３】
0003718895.tif 000004